【手続補正書】
【提出日】平成24年8月8日(2012.8.8)
【手続補正１】
【補正対象書類名】特許請求の範囲
【補正対象項目名】全文
【補正方法】変更
【補正の内容】
【特許請求の範囲】
【請求項１】
画像入力信号に含まれるノイズ量を検出してノイズ検出信号を出力するノイズ検出手段と、
前記画像入力信号の特定の周波数帯域近傍の成分を取り出して第１の中間画像を生成する第１の中間画像生成手段と、
前記第１の中間画像と、前記第１の中間画像に非線形処理を施して生成した高周波数成分の各々にコアリング処理した後加算して第２の中間画像を生成する第２の中間画像生成手段と、
前記画像入力画像と前記第２の中間画像を加算して映像出力信号を生成する加算手段と
を有し、
前記第２の中間画像生成手段における非線形処理は、前記第１の中間画像の画素値が正から負へ、もしくは負から正へと変化する箇所をゼロクロス点として判定し、ゼロクロス点の判定結果に応じて前記第１の水平方向中間画像の各画素に対する増幅率を決定し、決定した増幅率で前記第１の中間画像の画素値を増幅する
ことを特徴とする画像処理装置。
【請求項２】
前記第１の中間画像生成手段は、
前記入力画像信号の第１の周波数以上の高周波数成分のみを取り出した第１の高周波数成分画像を生成する高周波数成分画像生成手段と、
前記第１の高周波数成分画像の第２の周波数以下の低周波数成分のみを取り出す低周波数成分画像生成手段と
を有することを特徴とする請求項１に記載の画像処理装置。
【請求項３】
前記第２の中間画像生成手段は、
前記第１の中間画像の画素値を画素に応じて変化させた増幅率で増幅させた非線形処理画像を生成する非線形処理手段と、
前記非線形処理画像の第３の周波数以上の高周波数成分のみを取り出した第２の高周波数成分画像を生成する高周波数成分画像生成手段と、
前記第１の中間画像に含まれる微小な振動を抑制したコアリング手段と、
前記第２の高周波数成分画像に含まれる微小な振動を抑制したコアリング手段と、
前記コアリング手段の出力信号とコアリング手段の出力信号を加算する加算手段と
を有することを特徴とする請求項１に記載の画像処理装置。
【請求項４】
前記高周波数成分画像生成手段は、
前記入力画像の各画素の水平方向の近傍に存在する画素を用いて第１の水平方向周波数以上の高周波数成分を取り出した第１の水平方向高周波数成分画像を生成する第１の水平方向高周波数成分画像生成手段と、
前記入力画像の各画素の垂直方向の近傍に存在する画素を用いて第１の垂直方向周波以上の高周波数成分を取り出した第１の垂直方向高周波数成分画像を生成する第１の垂直方向高周波数成分画像生成手段を有し、
前記低周波数成分画像生成手段は、
前記第１の水平方向高周波数成分画像の第２の水平方向周波数以下の低周波数成分のみを取り出した第１の水平方向中間画像を生成する水平方向低周波数成分画像生成手段と、
前記第１の垂直方向高周波数成分画像の第２の垂直方向周波数以下の低周波数成分のみを取り出した第１の垂直方向中間画像を生成する垂直方向低周波数成分画像生成手段と
を有することを特徴とする請求項２に記載の画像処理装置。
【請求項５】
前記第１の中間画像が、
前記第１の水平方向中間画像及び前記第１の垂直方向中間画像から成り、
前記非線形処理手段は、
前記第１の水平方向中間画像の各画素値を画素に応じて変化させた増幅率で増幅した水平方向非線形処理画像を生成する水平方向非線形処理手段と、
前記第１の垂直方向中間画像の各画素値を画素に応じて変化させた増幅率で増幅した垂直方向非線形処理画像を生成する垂直方向非線形処理手段を有し、
前記高周波数成分画像生成手段は、
前記水平方向非線形処理画像の第３の水平方向周波数以上の高周波数成分のみを取り出した第２の水平方向高周波数成分画像を生成する第２の水平方向高周波数成分画像生成手段と、
前記垂直方向非線形処理画像の第３の垂直方向周波数以上の高周波数成分のみを取り出した第２の垂直方向高周波数成分画像を生成する第２の垂直方向高周波数成分画像生成手段を有する
ことを特徴とする請求項２から請求項４のいずれか１項に記載の画像処理装置。
【請求項６】
前記水平方向非線形処理手段は、
前記第１の水平方向中間画像の画素値が正から負へ、もしくは負から正へと変化する箇所をゼロクロス点として判定する水平方向ゼロクロス判定手段と、
前記水平方向ゼロクロス判定手段の判定結果に応じて前記第１の水平方向中間画像の各画素に対する増幅率を決定し、決定した増幅率で前記第１の水平方向中間画像の画素値を増幅する水平方向信号増幅手段を有し、
前記垂直方向非線形処理手段は、
前記第１の垂直方向中間画像の画素値が正から負へ、もしくは負から正へと変化する箇所をゼロクロス点として判定する垂直方向ゼロクロス判定手段と、
前記垂直方向ゼロクロス判定手段の判定結果に応じて前記第１の垂直方向中間画像の各画素に対する増幅率を決定し、決定した増幅率で前記第１の垂直方向中間画像の画素値を増幅する垂直方向信号増幅手段を有する
ことを特徴とする請求項５に記載の画像処理装置。
【請求項７】
前記コアリング手段が、
前記第１の水平方向中間画像に含まれる微小な振動を抑制した第３の水平方向中間画像を生成する水平方向コアリング手段と、
前記第１の垂直方向中間画像に含まれる微小な振動を抑制した第３の垂直方向中間画像を生成する水平方向コアリング手段を有する
ことを特徴とする請求項３に記載の画像処理装置。
【請求項８】
前記コアリング手段が、
前記第２の水平方向中間画像に含まれる微小な振動を抑制した第４の水平方向中間画像を生成する水平方向コアリング手段と、
前記第２の垂直方向中間画像に含まれる微小な振動を抑制した第４の垂直方向中間画像を生成する水平方向コアリング手段を有する
ことを特徴とする請求項３に記載の画像処理装置。
【請求項９】
前記コアリング手段の少なくとも一つは、
入力画素値をＤＡＴＡＩＮ、出力画素値をＤＡＴＡＯＵＴで表す時、
ＤＡＴＡＩＮの値が正の値である第１の閾値ＴＨｐ以上の場合は
ＤＡＴＡＯＵＴ＝ＤＡＴＡＩＮ−ＴＨｐ
とし、
ＤＡＴＡＩＮの値が負の値である第２の閾値ＴＨｍより大きい場合は
ＤＡＴＡＯＵＴ＝０
とし、
ＤＡＴＡＩＮの値が前記第２の閾値ＴＨｍ以下の場合は
ＤＡＴＡＯＵＴ＝ＤＡＴＡＩＮ＋ＴＨｍ
とする処理を行うことを特徴とする請求項７乃至８に記載の画像処理装置。
【請求項１０】
請求項１から９のいずれか１項に記載の画像処理装置を備えたことを特徴とする画像表示装置。
【請求項１１】
入力画像からノイズ成分を検出するノイズ検出ステップと、
入力画像から特定の周波数帯域の成分を取り出した第１の中間画像を生成する第１の中間画像生成ステップと、
前記第１の中間画像をもとに第２の中間画像を生成する第２の中間画像生成ステップと、
前記第１の中間画像生成ステップは、
前記入力画像信号の第１の周波数以上の高周波数成分のみを取り出した第１の高周波数成分画像を生成する高周波数成分画像生成ステップと、
前記第１の高周波数成分画像の第２の周波数以下の低周波数成分のみを取り出す低周波数成分画像生成ステップからなり
前記第２の中間画像生成ステップは、
前記第１の中間画像の画素値を画素に応じて変化させた増幅率で増幅させた非線形処理画像を生成する非線形処理ステップと、
前記非線形処理画像の第３の周波数以上の高周波数成分のみを取り出した第２の高周波数成分画像を生成する高周波数成分画像生成ステップと、
前記第１の中間画像および前記第２の高周波数成分画像に含まれる微小な振動を抑制するコアリング処理ステップからなり、
前記コアリング処理ステップにおいてコアリング処理をおこなった信号と入力画像を加算する加算ステップを有すること
ことを特徴とする画像処理方法。
【請求項１２】
請求項１１に記載の画像処理方法により処理された画像を表示することを特徴とする画像表示装置。
【手続補正２】
【補正対象書類名】明細書
【補正対象項目名】０００９
【補正方法】変更
【補正の内容】
【０００９】
本発明の画像処理装置は、画像入力信号に含まれるノイズ量を検出してノイズ検出信号を出力するノイズ検出手段と、画像入力信号の特定の周波数帯域近傍の成分を取り出して第１の中間画像を生成する第１の中間画像生成手段と、第１の中間画像と、第１の中間画像に非線形処理を施して生成した高周波数成分の各々にコアリング処理した後加算して第２の中間画像を生成する第２の中間画像生成手段と、画像入力画像と第２の中間画像を加算して映像出力信号を生成する加算手段とを有し、第２の中間画像生成手段における非線形処理は、第１の中間画像の画素値が正から負へ、もしくは負から正へと変化する箇所をゼロクロス点として判定し、ゼロクロス点の判定結果に応じて第１の水平方向中間画像の各画素に対する増幅率を決定し、決定した増幅率で第１の中間画像の画素値を増幅することを特徴とする。